(57)【要約】      （修正有）【課題】被施工面の適切箇所に取付金具を整列付設するための位置決め治具を提供する。【解決手段】所定間隔にて平行する上下端面３、４と、該上下端面３、４に直交する背面７を有する基材１の前記背面７にマグネットシート２を貼着することによって、被施工面Ｗに基材１を磁力により付着させ、上下端面の一方（３又は４）を基準点に整合させ、該基準点から所定の寸法離れた他方の端面（３又は４）にて、目標の位置を測定して、取付金具Ｍを付設し、これを繰り返すことで、取付金具Ｍを適切箇所に整列付設する。【選択図】図９
0003147872.tif 000002
【実用新案登録請求の範囲】
【請求項１】
所定間隔にて平行する上下端面と、該上下端面に直交する背面を有する基材の前記背面にマグネットシートを貼着したことを特徴とする位置決め治具。
【請求項２】
左右端面を特定間隔にて平行させると共に、背面に対し垂直と成したことを特徴とする請求項１記載の位置決め治具。
【請求項３】
基材をゴム、合成樹脂等の可撓性のものとしたことを特徴とする請求項１又は２記載の位置決め治具。
【請求項４】
基材の表面側において、上端に硬質の上支持片部を突設すると共に、下端に硬質の下支持片部を突設し、前記上支持片部の上面と、前記下支持片部の下面を上記所定間隔にて平行させると共に、基材の背面に対し垂直と成したことを特徴とする請求項１、２又は３記載の位置決め治具。
【請求項５】
基材を正背面視凹字形の板状とし、かかる基材の左右端面のうち少なくとも一方の端面と、該一方の端面に近い方の基材凹部内縦端面とを指定間隔にて平行させたことを特徴とする請求項１、２、３又は４記載の位置決め治具。
【考案の詳細な説明】
【技術分野】
【０００１】
本考案は、建築物の壁面の下地、方立等の被施工面に壁材（例えば、ルーバー、サイディングボード、タイル等）を乾式施工により取付ける金具を付設する際に用いる位置決め治具に関する。
【背景技術】
【０００２】
従来より、建築物の壁面には、壁面保護や装飾を目的として、ルーバー、サイディングボード、タイル等の壁材が取付けられている。
施工の方法としては、被施工面に取付金具を付設し、該取付金具を介して壁材を取付ける乾式施工が主流となっている。
【考案の開示】
【考案が解決しようとする課題】
【０００３】
ところが、壁材を綺麗に並べて取付けるためには、取付金具を縦横に適切箇所に整列付設せねばならず、そのため被施工面に罫書きをしたり、水糸を設置する等して、手間と時間が掛かっていた。
【課題を解決するための手段】
【０００４】
本考案は、壁材の乾式施工を行う被施工面の多くが、鉄製又は鉄含有の素材で成ることに着目し、所定間隔にて平行する上下端面と、該上下端面に直交する背面を有する基材の前記背面にマグネットシートを貼着することによって、被施工面に基材を磁力により付着させ、上下端面の一方を基準点に整合させ、該基準点から所定の寸法離れた他方の端面にて、目標の位置を測定して、取付金具を付設し、これを繰り返すことで、取付金具を適切箇所に整列付設する様にして、上記課題を解決する。
【考案の効果】
【０００５】
要するに本考案は、所定間隔にて平行する上下端面と、該上下端面に直交する背面を有する基材の前記背面にマグネットシートを貼着したので、被施工面に基材を磁力により付着させることができ、基材の上下端面の一方を基準点に整合させ、他方端面に合わせて、取付金具を付設すれば、取付金具は所定間隔にて付設され、これを繰り返すだけで、至極簡単に取付金具を適切箇所に整列付設することが出来る。
又、取付金具を付設中の基材は、磁力により被施工面に付着したままであるため、基材を抑えておく必要がなく、取付金具の付設に注意を集中して、付設作業を円滑に進めることが出来る。
【０００６】
左右端面を特定間隔にて平行させると共に、背面に対し垂直と成したので、左右端面の一方を基準点に整合させ、他方の端面にて目標位置を測定し、左右方向についても上記と同様に、至極簡単に取付金具を適切箇所に整列付設することが出来る。
【０００７】
基材をゴム、合成樹脂等の可撓性のものとしたので、例えば、既設の壁材の上端面を基準点とし、これに基材の下端面を当接させ、基材の上端面に合わせて、取付金具を付設すると、基材が壁材と取付金具に挟まれることになるが、この様な場合であっても、基材を撓ませることで、基材を被施工面から簡単に引き離すことが出来る。
【０００８】
基材の表面側において、上端に硬質の上支持片部を突設すると共に、下端に硬質の下支持片部を突設し、前記上支持片部の上面と、前記下支持片部の下面を上記所定間隔にて平行させると共に、基材の背面に対し垂直と成したので、基材を可撓性のものとした場合であっても、硬質の上下支持片部により所定間隔を測り取るため、正確に位置決めを行うことが出来る。
【０００９】
基材を正背面視凹字形の板状とし、かかる基材の左右端面のうち少なくとも一方の端面と、該一方の端面に近い方の基材凹部内縦端面とを指定間隔にて平行させたので、例えば基材の左端面と、左方の凹部内縦端面とを指定間隔にて平行させ、基材の下端面（又は下支持片部の下面）を上下方向の基準点に整合させ、また基材の左端面を左右方向の基準点に整合させる様にすれば、例えばアングル形（Ｌ字形）の取付金具を用いる場合、取付金具の被施工面に接地させる側（Ｌ字の一方）の片を基材の凹部内に挿入し、取付金具の他方片の下面を上支持片部の上面に当接させ、取付金具の左端面を左方の凹部内縦端面に当接させることにより、取付金具は、上下方向および左右方向共に、適切箇所に位置決めされる。
従って、位置決めさた状態の取付金具をボルト等の適宜締結手段により固定すれば、至極簡単に適切箇所に取付金具を付設することが出来、これを繰り返すことで、迅速に多くの取付金具を適切に付設し、取付金具の整列付設を簡便且つ正確にすることが出来る等その実用的効果甚だ大である。
【考案を実施するための最良の形態】
【００１０】
以下、本考案に係る位置決め治具の最良の形態を図面に基づき説明する。
図１および図２は、第一実施例の位置決め治具を示す図であり、図１は、位置決め治具の使用状態を示す正面図、図２は、図１のＡ−Ａ断面図である。
【００１１】
図１および２に示す様に、第一実施例の位置決め治具は、基材１とマグネットシート２から成り、基材１は、上端面３と下端面４とが所定間隔にて平行し、また左端面５と右端面６とが特定間隔にて平行し、背面７は、上端面３、下端面４、左端面５および右端面６に直交し、かかる背面７にマグネットシート２を貼着している。
【００１２】
使用時には、被施工面Ｗにマグネットシート２を当接して基材１を付着させ、下端面４を上下方向の基準点Ｅ（例えば、罫書き線、水糸等。）に整合させ、上端面３に取付金具Ｍの適宜箇所を当接して、取付金具Ｍを位置決めした後、ボルトＶ等の締結手段により固定する。
【００１３】
この様にすれば、図２に示す様に、被施工面Ｗに設けたボルトＶの挿通孔Ｈが縦方向に長い長孔であっても、上記所定間隔を適切に設定することで、ボルトＶは挿通孔Ｈの中心を通り、取付金具Ｍは適切な箇所に固定される。
又、二段目以降に罫書き線、水糸等は不要となり、既設の壁材Ｌの適宜箇所を基準点Ｅとし、上記と同様にして、上方向に付設作業を繰り返せば、取付金具Ｍは所定間隔にて上下方向に整列する。
又、図３に示す様に、例えば取付金具Ｍを左右方向に近接配設する場合、既設の取付金具Ｍの側面に基材１の左端面５を当接し、右端面６に他の取付金具Ｍの側面を当接して、取付金具Ｍを特定間隔にて左右方向に整列させても良い。
更には、図４に示す様に、既設の壁材Ｏと、取付け途中の壁材Ｏとの間に、本考案の位置決め治具を設置し、壁材Ｏ同士の間隔の調整に用いても良い。
【００１４】
次に、第二実施例を示し、本考案について更に詳述する。
図５は、第二実施例の位置決め治具の正面図、図６は、図５のＢ−Ｂ断面図、図７は、図５のＣ−Ｃ断面図、  図８は、第二実施例の位置決め治具の使用状態を示す正面図、図９は、図８のＤ−Ｄ断面図である。
尚、図５〜９中、第一実施例の位置決め治具の構成要素と同一の構成要素については、図１〜図４で付した符号と同一の符号を付した。
【００１５】
第二実施例位置決め治具は、基材１が、ゴム、合成樹脂等の可撓性の板材から成り、図５〜９に示す様に、可撓性板材の上端中央を切り取って、正背面視凹字形とし、かかる基材１の背面７に、凹字形に加工したマグネットシート２を貼着している。
又、基材１の左端面５と、基材１の凹部８内の左方の縦端面９とを指定間隔にて平行させ、基材１の表面側において、上端に硬質の上支持片部10を突設し、下端に硬質の下支持片部11を突設し、上支持片部10の上面と、下支持部11の下面を所定間隔にて平行させると共に、基材１の背面７に対し垂直と成している。
又、上支持片部10は、凹部８の上端を跨いで設けられ、凹部８は、基材１の表面側に開口している。
【００１６】
尚、本実施例では、左端面５と、凹部８内の左方の縦端面９とを指定間隔にて平行させたものを示すが、右端面６と、凹部８内の右方の縦端面12とを指定間隔にて平行させても良く、また左方同士、右方同士の両方とも指定間隔にて平行させても良い。
【００１７】
使用時には、図８および９に示す様に、先ず被施工面Ｗにマグネットシート２を当接して基材１を付着させ、基材１の下端面４を上下方向の基準点Ｅに整合させると共に、左端面５を左右方向の基準点Ｌに整合させる。
次に、アングル形取付金具Ｍの一方側の片（被施工面Ｗに接地させる方）を基材１の凹部８内に挿入し、取付金具Ｍの他方側の片の下面を上支持片部10の上面に当接させ、取付金具Ｍの左端面を凹部８内の左方の縦端面９に当接させ、取付金具Ｍを位置決めした後、ボルトＶ等の締結手段により固定する。
【００１８】
この様にすれば、図９に示す様に、被施工面Ｗに設けたボルトＶの挿通孔Ｈが、ボルトＶより大径の円形のルーズ孔であっても、上記の所定間隔と指定間隔とを適切に設定することで、ボルトＶは挿通孔Ｈの中心を通り、取付金具Ｍは適切な箇所に固定される。
又、二段目以降については、実施例一の場合と同様であり、罫書き線、水糸等を用いることなく、上記の様に付設作業を繰り返せば、取付金具Ｍは、上下方向および左右方向共に、適切箇所に位置決めされ整列する。
【図面の簡単な説明】
【００１９】
【図１】第一実施例の位置決め治具の使用状態を示す正面図である。
【図２】図１のＡ−Ａ断面図である。
【図３】第一実施例の位置決め治具の他の使用状態を示す正面図である。
【図４】第一実施例の位置決め治具の更に他の使用状態を示す正面図である。
【図５】第二実施例の位置決め治具の正面図である。
【図６】図５のＢ−Ｂ断面図である。
【図７】図５のＣ−Ｃ断面図である。
【図８】図５の位置決め治具の使用状態を示す正面図である。
【図９】図８のＤ−Ｄ断面図である。
【符号の説明】
【００２０】
１  基材
２  マグネットシート
３  上端面
４  下端面
５  左端面
６  右端面
７  背面
８  凹部
９  縦端面
10  上支持片部
11  下支持片部
12  縦端面
【図１】
0003147872.tif 000003
【図２】
0003147872.tif 000004
【図３】
0003147872.tif 000005
【図４】
0003147872.tif 000006
【図５】
0003147872.tif 000007
【図６】
0003147872.tif 000008
【図７】
0003147872.tif 000009
【図８】
0003147872.tif 000010
【図９】
0003147872.tif 000011